(57)【特許請求の範囲】
【請求項１】
航空機用ギャレー冷却機と流体連通し、冷却空気を前記航空機用ギャレー冷却機から受け取るように構成された第１のダクトと、
前記第１のダクトと流体連通し、１つまたは複数のギャレー食品および飲料保管隔室に同時に冷却空気を提供するように構成された第１のベントであって、前記第１のベントは、エアスルー配置で構成可能であるとともにエアオーバ配置で構成可能であり、前記第１のベントが前記エアスルー配置で構成された場合、前記１つまたは複数のギャレー食品および飲料保管隔室の内部に向かって第１の角度で前記冷却空気を案内し、前記第１のベントが前記エアオーバ配置で構成された場合、前記１つまたは複数のギャレー食品および飲料保管隔室の周囲に前記第１の角度とは異なる第２の角度で前記冷却空気を案内し、前記第１の角度および前記第２の角度は、前記第１のベントと前記１つまたは複数のギャレー食品および飲料保管隔室との間における水平面に対する角度である、第１のベントと、を含む、再構成可能な航空機用ギャレー冷却機ベントシステム。
【請求項２】
前記第１のベントが、
第１のハウジングと、
前記第１のハウジングに脱着可能に固定された冷却済空気出口アセンブリであって、前記冷却済空気出口アセンブリは、空気が流れる１つまたは複数のベント開口部を有するベントパネルと、空気が流れないまたは前記ベントパネルと比較してより少ない空気が流れる閉じたパネルであって、前記閉じたパネルの縁端が前記ベントパネルの縁端に隣接し、前記ベントパネルの平面に対して第３の角度で配置された閉じたパネルと、を含み、前記第３の角度が前記第１の角度と前記第２の角度との差の絶対値である、冷却済空気出口アセンブリと、を含み、
前記第１のベントが前記エアスルー配置で構成される場合、前記冷却済空気出口アセンブリの前記ベントパネルが前記第１のハウジングの第１の位置に取り付けられる一方で、前記閉じたパネルが、前記第１の位置とは異なりかつ前記第１の位置に隣接した前記第１のハウジングの第２の位置に取り付けられ、
前記第１のベントが前記エアオーバ配置で構成される場合、前記冷却済空気出口アセンブリの前記ベントパネルが前記第１のハウジングの前記第２の位置に取り付けられる一方で、前記閉じたパネルが前記第１のハウジングの前記第１の位置に取り付けられる、請求項１に記載の再構成可能な航空機用ギャレー冷却機ベントシステム。
【請求項３】
前記冷却済空気出口アセンブリが、前記１つまたは複数のベント開口部の近傍に取り付けられ、前記１つまたは複数のベント開口部を通じて前記第１のベントから外側に空気を流すように構成された１つまたは複数のファンをさらに含む、請求項２に記載の再構成可能な航空機用ギャレー冷却機ベントシステム。
【請求項４】
前記航空機用ギャレー冷却機と流体連通し、前記航空機用ギャレー冷却機に還気を提供するように構成された第２のダクトと、
前記第２のダクトと流体連通し、前記１つまたは複数のギャレー食品および飲料保管隔室から同時に前記還気を受け取るように構成された第２のベントであって、前記第２のベントがエアスルー配置またはエアオーバ配置で再構成可能であり、前記第２のベントは、前記エアスルー配置において、前記１つまたは複数のギャレー食品および飲料保管隔室の前記内部から第１の角度で前記還気を受け取り、前記エアオーバ配置において、前記１つまたは複数のギャレー食品および飲料保管隔室の周囲から前記第１の角度とは異なる第２の角度で前記還気を受け取る、第２のベントと、をさらに含む、請求項１〜３のいずれか１項に記載の再構成可能な航空機用ギャレー冷却機ベントシステム。
【請求項５】
前記第２のベントが、
第２のハウジングと、
前記第２のハウジングに脱着可能に固定された還気入口アセンブリであって、前記還気入口アセンブリが、空気が流れる１つまたは複数のベント開口部を有するベントパネルと、空気が流れないまたは前記ベントパネルと比較してより少ない空気が流れる閉じたパネルと、を含み、前記閉じたパネルの縁端は前記ベントパネルの縁端に隣接し、前記閉じたパネルは前記ベントパネルの平面に対して第３の角度で配置されており、前記第３の角度が前記第１の角度と前記第２の角度との差の絶対値である、還気入口アセンブリと、を含み、
前記第２のベントが前記エアスルー配置で構成される場合、前記還気入口アセンブリの前記ベントパネルが前記第２のハウジングの第１の位置に取り付けられる一方で、前記閉じたパネルが、前記第１の位置とは異なりかつ前記第１の位置に隣接した前記第２のハウジングの第２の位置に取り付けられ、
前記第２のベントが前記エアオーバ配置で構成される場合、前記還気入口アセンブリの前記ベントパネルが前記第２のハウジングの前記第２の位置に取り付けられる一方で、前記閉じたパネルが前記第２のハウジングの前記第１の位置に取り付けられる、請求項４に記載の再構成可能な航空機用ギャレー冷却機ベントシステム。
【請求項６】
前記還気入口アセンブリが、前記１つまたは複数のベント開口部の近傍に取り付けられ、前記１つまたは複数のベント開口部を通じて前記第２のベントに内側に空気を流すように構成された１つまたは複数のファンをさらに含む、請求項５に記載の再構成可能な航空機用ギャレー冷却機ベントシステム。
【請求項７】
前記１つまたは複数のギャレー食品および飲料保管隔室のそれぞれが、前記第１のベントと前記食品および飲料保管隔室との間に流体連通を設けるために前記各々のギャレー食品および飲料保管隔室を前記第１のベントに向かって移動させるトロリーであって、前記第１のベントと前記食品および飲料保管隔室との間の流体連通を切り離すために前記第１のベントから離れるトロリーを含む、請求項１〜６のいずれか１項に記載の再構成可能な航空機用ギャレー冷却機ベントシステム。
【請求項８】
前記航空機用ギャレー冷却機をさらに含み、前記航空機用ギャレー冷却機が、
蒸気循環システムの構成要素を収容する略平坦な矩形のケースであって、前記ケースが、前記ケースの４つの残りの表面よりも大きな表面積を有する２つの主要表面を含む略平坦な矩形のケースと、
凝縮器と、
圧縮器と、
蒸発器と、を含み、
前記凝縮器、前記圧縮器および前記蒸発器が前記蒸気循環システムの一部として動作して前記第１のダクトに冷却空気を提供する、請求項１〜７のいずれか１項に記載の再構成可能な航空機用ギャレー冷却機ベントシステム。
【請求項９】
前記航空機用ギャレー冷却機をさらに含み、前記航空機用ギャレー冷却機が前記１つまたは複数のギャレー食品および飲料保管隔室から遠隔的に取り付けられており、前記航空機用ギャレー冷却機が、
凝縮器と、
圧縮器と、
蒸発器と、を含み、
前記凝縮器、前記圧縮器および前記蒸発器が、蒸気循環システムの一部として動作し、１つまたは複数の遠隔冷却空気ダクトにより前記第１のダクトに冷却空気を提供する、請求項１〜７のいずれか１項に記載の再構成可能な航空機用ギャレー冷却機ベントシステム。
【請求項１０】
前記航空機用ギャレー冷却機をさらに含み、前記航空機用ギャレー冷却機が、
液体空気熱交換器であって、前記液体空気熱交換器内を流れる液体冷却剤を冷却する遠隔冷却機を含む補助液体冷却システムに結合された液体空気熱交換器と、
前記液体空気熱交換器内を流れる空気を冷却するファンであって、冷却済の前記空気が前記冷却空気として前記第１のダクトに提供されるファンと、を含む、請求項１〜７のいずれか１項に記載の再構成可能な航空機用ギャレー冷却機ベントシステム。
【請求項１１】
ベントシステムを再構成する方法であって、
航空機用ギャレー冷却機から冷却空気を受け取るために、または前記航空機用ギャレー冷却機に還気を提供するために、航空機用ギャレー冷却機と流体連通するベントを構成するステップと、
１つまたは複数のギャレー食品および飲料保管隔室と同時に流体連通する前記ベントをエアスルー配置およびエアオーバ配置のいずれか一方で構成するステップであって、前記ベントは、前記ベントが前記エアスルー配置で構成された場合、前記１つまたは複数のギャレー食品および飲料保管隔室の内部の空気と第１の角度で流体連通し、前記ベントが前記エアオーバ配置で構成された場合、前記１つまたは複数のギャレー食品および飲料保管隔室の周囲の空気と前記第１の角度とは異なる第２の角度で流体連通し、前記第１の角度および前記第２の角度は、前記ベントと前記１つまたは複数のギャレー食品および飲料保管隔室との間における水平面に対する角度である、ステップと、
前記１つまたは複数のギャレー食品および飲料保管隔室と同時に流体連通する前記ベントを前記エアスルー配置および前記エアオーバ配置の他方において再構成するステップと、を含む、方法。
【請求項１２】
前記ベントシステムを再構成するステップが、
ベント開口部アセンブリを前記ベントのハウジングから取り外すステップであって、前記ベント開口部アセンブリが、空気が流れる１つまたは複数のベント開口部を有するベントパネルと、空気が流れないまたは前記ベントパネルと比較してより少ない空気が流れる閉じたパネルであって、前記閉じたパネルの縁端が前記ベントパネルの縁端に隣接し、前記ベントパネルの平面に対して前記第１の角度と前記第２の角度との差の絶対値である第３の角度で配置された閉じたパネルと、を含む、ステップと、
前記ベントパネルを前記ハウジングの第１の位置から取り除き、前記閉じたパネルを、前記第１の位置とは異なりかつ前記第１の位置に隣接した前記ハウジングの第２の位置から取り除くステップと、
前記ベント開口部アセンブリの内側が前記ハウジングの内側に面したままであるように前記ハウジングの長さとほぼ平行する面内において前記ベント開口部アセンブリを約１８０度回転させるステップと、
前記ベントパネルを前記ハウジングの前記第２の位置に取り付け、前記閉じたパネルを前記ハウジングの前記第１の位置に取り付けるステップと、
前記回転したベント開口部アセンブリを前記ベントの前記ハウジング上に固定するステップと、を含む、請求項１１に記載の方法。
【請求項１３】
前記ベントが前記航空機用ギャレー冷却機から冷却空気を受け取り、前記１つまたは複数のギャレー食品および飲料保管隔室に向かってまたはその周囲に前記冷却空気を案内することによって前記１つまたは複数のギャレー食品および飲料保管隔室を冷却する、請求項１１又は１２に記載の方法。
【請求項１４】
前記ベントが、前記１つまたは複数のギャレー食品および飲料保管隔室の前記内部からまたは周囲から前記還気を受け取ることによって前記航空機用ギャレー冷却機に還気を提供する、請求項１１又は１２に記載の方法。
【請求項１５】
前記ステップが、前記１つまたは複数のギャレー食品および飲料保管隔室に向かってまたはその周囲に前記冷却空気を案内することによって前記１つまたは複数のギャレー食品および飲料保管隔室を冷却する冷却済空気出口アセンブリのために実施され、前記ステップが、前記１つまたは複数のギャレー食品および飲料保管隔室の前記内部からまたは周囲から前記還気を受け取ることによって前記航空機用ギャレー冷却機に還気を提供する還気入口アセンブリのために実施される、請求項１１〜１４のいずれか１項に記載の方法。
【発明の詳細な説明】
【技術分野】
【０００１】
関連出願
[0001]この出願は、２０１１年８月３０日出願の米国仮特許出願第８１／５２９，０４７号の優先権を主張する。この開示の全体は参照によって本明細書中に組み込まれる。
【背景技術】
【０００２】
背景
[0002]実施形態は冷蔵装置に関し、特に、冷却空気を航空機用ギャレー食品給仕システムに提供しかつ再循環させるため、ならびにギャレーの食品および飲料の温度を求められる食品保管温度に維持するための装置に関する。
【０００３】
[0003]航空機用ギャレー食品給仕システム用に設計された既存の空気冷却機システムは、冷却空気をギャレーカート隔室内のギャレー食品カートに提供するために固定式ベントを有するため、航空機に搭載されている空気冷却機システムでは一種類のギャレー食品カートしか使用することができない。例えば、航空機に、エアオーバ式ギャレー食品カートのみと接続する空気冷却機システムを備えている場合があり、したがって、航空機に搭載されている空気冷却機システムにおいてエアスルー式ギャレー食品カートが使用されない場合がある。
【発明の概要】
【課題を解決するための手段】
【０００４】
概要
[0004]種々の実施形態によれば、再構成可能な冷却済空気出口は、航空機用ギャレー冷却機と結合し、航空機用ギャレー冷却機から冷却空気を受け取るダクトと、冷却空気を１つまたは複数のギャレー食品および飲料保管隔室トロリーに同時に提供するベントであって、ベントはエアスルー配置またはエアオーバ配置のいずれかにおいて再構成可能であり、ベントは第１の角度のエアスルー配置において実質的に１つまたは複数のギャレー食品および飲料保管隔室トロリーの内部に向かって冷却空気を案内し、ベントは第１の角度とは異なる第２の角度のエアオーバ配置において１つまたは複数のギャレー食品および飲料保管隔室トロリー内部の実質的に上に冷却空気を案内する、ベントと、を含む。航空機用ギャレー冷却機を使用時点に航空機用ギャレー内に局所的に取り付けてもよく、ギャレーから離して取り付け、１つまたは複数の遠隔冷却機ダクトを通じて再構成可能な冷却済空気出口と流体連通させてもよい。再構成可能な冷却済空気出口により、同じ冷却用システムをエアスルー式ギャレー食品カートおよびエアオーバ式ギャレー食品カートの両方に使用することができるため、より対費用効果が高くなると共に航空機用の冷却用システムがより柔軟になる。
【０００５】
[0005]さらに、後壁および側壁を有するカート隔室外部ケースと、上述のカート用ベントを含む再構成可能な冷却済空気出口と、ギャレーカート隔室内に配置されたギャレーカートに冷却空気を送達するための、再構成可能な冷却済空気出口と流体連通した空気冷却機ユニットと、を含む航空機用ギャレーカート隔室を提供してもよい。
【０００６】
[0006]一実施形態によれば、再構成可能な航空機用ギャレー冷却機ベントシステムは、航空機用ギャレー冷却機と流体連通し、航空機用ギャレー冷却機から冷却空気を受け取るように構成された第１のダクトと、第１のダクトと流体連通し、１つまたは複数のギャレー食品および飲料保管隔室に同時に冷却空気を提供するように構成された第１のベントであって、第１のベントはエアスルー配置またはエアオーバ配置のいずれかにおいて再構成可能であり、第１のベントは冷却空気を実質的に１つまたは複数のギャレー食品および飲料保管隔室の内部に向かって第１の角度のエアスルー配置において案内し、第１のベントは、冷却空気を実質的に１つまたは複数のギャレー食品および飲料保管隔室の周囲に第１の角度とは異なる第２の角度のエアオーバ配置において案内する第１のベントと、を含む。
【０００７】
[0007]第１のベントは、第１のハウジングと、第１のハウジングに脱着可能に固定された冷却済空気出口アセンブリであって、冷却済空気出口アセンブリは、空気が流れる１つまたは複数のベント開口部を有するベントパネルと、空気が流れない、またはベントパネルと比較して実質的により少ない空気が流れる閉じたパネルとを含む冷却済空気出口アセンブリと、を含んでもよく、閉じたパネルの縁端がベントパネルの縁端に隣接し、ベントパネルに対して第３の角度で配置されており、第３の角度は第１の角度と第２の角度との間の差である。第１のベントがエアスルー配置において構成される場合、冷却済空気出口アセンブリのベントパネルを第１のハウジングの第１の位置に取り付けてもよい一方で、閉じたパネルは、第１の位置とは異なり、かつ第１の位置に隣接する、第１のハウジングの第２の位置に取り付けられ、第１のベントがエアオーバ配置において構成される場合、冷却済空気出口アセンブリのベントパネルを第１のハウジングの第２の位置に取り付けてもよい一方で、閉じたパネルは第１のハウジングの第１の位置に取り付けられる。
【０００８】
[0008]冷却済空気出口アセンブリは、１つまたは複数のベント開口部の近傍に取り付けられ、空気を１つまたは複数のベント開口部を通じて第１のベントから外側に流すように構成された１つまたは複数のファンをさらに含んでもよい。
【０００９】
[0009]請求項に記載のベントシステムは、航空機用ギャレー冷却機と流体連通しており、航空機用ギャレー冷却機に還気を提供するように構成されている第２のダクトと、第２のダクトと流体連通しており、１つまたは複数のギャレー食品および飲料保管隔室から同時に還気を受け取るように構成されている第２のベントと、を更に含んでもよい。第２のベントはエアスルー配置またはエアオーバ配置のいずれかにおいて再構成可能であってもよく、第２のベントは実質的に１つまたは複数のギャレー食品および飲料保管隔室の内部から第１の角度のエアスルー配置において還気を受け取り、第２のベントは実質的に１つまたは複数のギャレー食品および飲料保管隔室の周囲から第１の角度とは異なる第２の角度のエアオーバ配置において還気を受け取る。
【００１０】
[0010]第２のベントは、第２のハウジングと、第２のハウジングに脱着可能に固定された還気入口アセンブリであって、還気入口アセンブリが、空気が流れる１つまたは複数のベント開口部を有するベントパネルと、空気が流れない、またはベントパネルと比較して実質的により少ない空気が流れる閉じたパネルとを含む還気入口アセンブリと、を含んでもよく、閉じたパネルの縁端はベントパネルの縁端に隣接し、ベントパネルに対して第３の角度で配置されており、第３の角度は第１の角度と第２の角度との間の差である。第２のベントがエアスルー配置において構成される場合、還気入口アセンブリのベントパネルを第２のハウジングの第１の位置に取り付けてもよい一方で、閉じたパネルは、第１の位置とは異なり、かつ第１の位置に隣接する、第２のハウジングの第２の位置に取り付けられ、第２のベントがエアオーバ配置において構成されている場合、還気入口アセンブリのベントパネルを第２のハウジングの第２の位置に取り付けてもよい一方で、閉じたパネルが第２のハウジングの第１の位置に取り付けられる。
【００１１】
[0011]還気入口アセンブリは、１つまたは複数のベント開口部の近傍に取り付けられ、空気を１つまたは複数のベント開口部を通じて第２のベントまで内側に流すように構成されている１つまたは複数のファンをさらに含んでもよい。
【００１２】
[0012]１つまたは複数のギャレー食品および飲料保管隔室のそれぞれはトロリーを含んでもよいが、このトロリーは、第１のベントと食品および飲料保管隔室との間に流体連通を設けるために各々のギャレー食品および飲料保管隔室を第１のベントに向かって移動し、第１のベントと食品および飲料保管隔室との間の流体連通を切り離すために第１のベントから離れる。
【００１３】
[0013]再構成可能な航空機用ギャレー冷却機ベントシステムは航空機用ギャレー冷却機をさらに含んでもよい。航空機用ギャレー冷却機は蒸気循環システムの構成要素を収容する略平坦な矩形のケースを含んでもよい。ケースは、ケースの４つの残りの表面よりもかなり大きな表面積を有する２つの主要表面を含む。冷却機は、また、凝縮器と、圧縮器と、蒸発器とを含んでもよく、凝縮器、圧縮器および蒸発器は蒸気循環システムの一部として動作し、第１のダクトに冷却空気を提供する。
【００１４】
[0014]航空機用ギャレー冷却機は、１つまたは複数のギャレー食品および飲料保管隔室から離して取り付けてもよく、その場合、航空機用ギャレー冷却機は、凝縮器と、圧縮器と、蒸発器とを含んでもよく、凝縮器、圧縮器および蒸発器は蒸気循環システムの一部として動作し、１つまたは複数の遠隔冷却空気ダクトにより第１のダクトに冷却空気を提供する。
【００１５】
[0015]航空機用ギャレー冷却機は、液体空気熱交換器内を流れる液体冷却剤を冷却する遠隔冷却機と、液体空気熱交換器（liquid to air heat exchanger）内を流れる空気を冷却するファンとを含む補助液体冷却システムと結合された液体空気熱交換器を含んでもよく、冷却済空気が冷却空気として第１のダクトに提供される。
【００１６】
[0016]別の実施形態によれば、ベントシステムを再構成する方法は、航空機用ギャレー冷却機から冷却空気を受け取るために、または航空機用ギャレー冷却機に還気を提供するために、航空機用ギャレー冷却機と流体連通するベントを構成するステップと、１つまたは複数のギャレー食品および飲料保管隔室と同時に流体連通するベントをエアスルー配置またはエアオーバ配置の１つにおいて構成するステップであって、ベントは第１の角度のエアスルー配置において１つまたは複数のギャレー食品および飲料保管隔室の内部の空気と流体連通し、かつベントは第１の角度とは異なる第２の角度のエアオーバ配置において実質的に１つまたは複数のギャレー食品および飲料保管隔室の周囲の空気と流体連通するステップと、１つまたは複数のギャレー食品および飲料保管隔室と同時に流体連通するベントをエアスルー配置またはエアオーバ配置のもう一方において再構成するステップと、を含む。
【００１７】
[0017]ベントシステムを再構成するステップは、ベント開口部アセンブリをベントのハウジングから取り外すステップであって、ベント開口部アセンブリが、空気が流れる１つまたは複数のベント開口部を有するベントパネルと、空気が流れない、またはベントパネルと比較して実質的により少ない空気が流れる閉じたパネルとを含み、閉じたパネルの縁端がベントパネルの縁端に隣接し、ベントパネルに対する第１の角度と第２の角度との間の差である第３の角度で配置されているステップと、ベントパネルをハウジングの第１の位置から取り除き、かつ閉じたパネルを、第１の位置とは異なり、かつ第１の位置に隣接するハウジングの第２の位置から取り除くステップと、ベント開口部アセンブリの内側がハウジングの内側に面したままであるようにハウジングの長さとほぼ平行する面内においてベント開口部アセンブリを約１８０度回転させるステップと、ベントパネルをハウジングの第２の位置に取り付け、閉じたパネルをハウジングの第１の位置に取り付けるステップと、回転したベント開口部アセンブリをベントのハウジング上に固定するステップと、を含んでもよい。
【００１８】
[0018]ベントは、航空機用ギャレー冷却機から冷却空気を受け取り、１つまたは複数のギャレー食品および飲料保管隔室に向かってまたはその周囲に冷却空気を案内することによって１つまたは複数のギャレー食品および飲料保管隔室を冷却してもよい。
【００１９】
[0019]ベントは、１つまたは複数のギャレー食品および飲料保管隔室の内部からまたはその周囲から還気を受け取ることによって航空機用ギャレー冷却機に還気を提供してもよい。
【００２０】
[0020]１つまたは複数のギャレー食品および飲料保管隔室に向かってまたはその周囲に冷却空気を案内することによって１つまたは複数のギャレー食品および飲料保管隔室を冷却する冷却済空気出口アセンブリのための方法のステップを実施してもよく、ステップは、また、１つまたは複数のギャレー食品および飲料保管隔室の内部からまたはその周囲から還気を受け取ることによって航空機用ギャレー冷却機に還気を提供する還気入口アセンブリのために実施してもよい。
【００２１】
[0021]実施形態が以下に簡潔に記載されるように示される添付の図面を参照して例示的な実施形態をより詳細に説明する。
【図面の簡単な説明】
【００２２】
【図１Ａ】一実施形態による、ギャレーカート隔室領域内に取り付けられた冷却機システムの正面図である。
【図１Ｂ】一実施形態による、ギャレーカート隔室領域内に取り付けられた冷却機システムの正面図である。
【図２】一実施形態による、カートが取り除かれたギャレーカート隔室領域内に取り付けられた冷却機システムの正面図である。
【図３Ａ】一実施形態による、取り付けられた空気冷却機システムの斜視前面図である。
【図３Ｂ】一実施形態による、取り付けられた空気冷却機システムの斜視背面図である。
【図４Ａ】一実施形態による小型空気冷却機ユニットの斜視図である。
【図４Ｂ】一実施形態による小型空気冷却機ユニットの側面図である。
【図４Ｃ】一実施形態による、ユニットの空気が流れる位置を示す冷却機の斜視図である。
【図４Ｄ】一実施形態による、ユニットの空気が流れる位置を示す冷却機の斜視図である。
【図５】一実施形態による、航空機冷却システムを示すブロック図である。
【図６Ａ】一実施形態による、内部構成要素を示す、カバーを取り外した冷却機の斜視図である。
【図６Ｂ】一実施形態による、カバーを取り外した冷却機の正面図であり、取り付けられた配管を示す。
【図６Ｃ】一実施形態による、内部構成要素の正面図である。
【図７Ａ】別の実施形態による冷却機システムを示す。
【図７Ｂ】別の実施形態による冷却機システムを示す。
【図７Ｃ】別の実施形態による冷却機システムを示す。
【図８Ａ】一実施形態による、再構成可能な冷却済空気出口アセンブリの外部斜視図を示す。
【図８Ｂ】一実施形態による、図８Ａの再構成可能な冷却済空気出口アセンブリの内部斜視図を示す。
【図９】一実施形態による、ギャレーカート隔室領域内にエアオーバダクト配置において取り付けられた図７の冷却機システムの斜視図を示す。
【図１０Ａ】一実施形態による、空気冷却機システムを図９に示されるエアオーバダクト配置からエアスルーダクト配置に再構成する方法を示す。
【図１０Ｂ】一実施形態による、空気冷却機システムを図９に示されるエアオーバダクト配置からエアスルーダクト配置に再構成する方法を示す。
【図１０Ｃ】一実施形態による、空気冷却機システムを図９に示されるエアオーバダクト配置からエアスルーダクト配置に再構成する方法を示す。
【図１０Ｄ】一実施形態による、空気冷却機システムを図９に示されるエアオーバダクト配置からエアスルーダクト配置に再構成する方法を示す。
【図１０Ｅ】一実施形態による、空気冷却機システムを図９に示されるエアオーバダクト配置からエアスルーダクト配置に再構成する方法を示す。
【図１１】一実施形態による、ギャレーカート隔室領域内にエアスルーダクト配置において取り付けられた図７の冷却機システムの斜視図を示す。
【図１２】一実施形態による、エアオーバダクト配置にある冷却空気供給ダクトを通じて遠隔冷却機と結合された交換可能なまたは再構成可能な冷却済空気出口を含むギャレーカート隔室領域の斜視図を示す。
【図１３】一実施形態による、エアスルーダクト配置にある冷却空気供給ダクトを通じて遠隔冷却機と結合された交換可能なまたは再構成可能な冷却済空気出口を含むギャレーカート隔室領域の斜視図を示す。
【図１４】一実施形態による、エアオーバダクト配置にある冷却空気供給ダクトを通じて遠隔冷却機と結合された交換可能なまたは再構成可能な冷却済空気出口と、エアアンダーダクト配置にある空気帰還ダクトを通じて遠隔冷却機と結合された交換可能なまたは再構成可能な空気帰還入口とを含む交換可能なまたは再構成可能なベントシステムを含むギャレーカート隔室領域の斜視図を示す。
【図１５】一実施形態による、交換可能なまたは再構成可能なベントシステムを含むエアスルーダクト配置にある冷却空気供給ダクトを通じて遠隔冷却機と結合された交換可能なまたは再構成可能な冷却済空気出口と、エアスルーダクト配置にある空気帰還ダクトを通じて遠隔冷却機と結合された交換可能なまたは再構成可能な還気入口とを含むギャレーカート隔室領域の斜視図を示す。
【発明を実施するための形態】
【００２３】
好適な実施形態の説明
[0044]図１Ａおよび図１Ｂは、外部ケース１２によって境界が定められた密閉領域内に１つまたは複数のギャレー食品カート２０を保持するためにギャレーカート隔室１１を使用する航空機用ギャレー食品給仕システム１０の一実施形態を示す。食事および飲料を給仕するためにこのような食品カート２０を航空機の通路において移動させる。
【００２４】
[0045]典型的な構成においては、このようなギャレー隔室１１は最大３つのカート２０を保持するように設計されているが、このような隔室は、あらゆる数のこのようなカート２０を収容するように設計されうる。図１Ａは、カート隔室１１内の１つのカート２０を示し、図１Ｂは、２つのカート２０を有する隔室１１を示す。
【００２５】
[0046]カート隔室１１の後部に取り付けられた空気冷却機システム３０の一実施形態を見ることができる。冷却機システム３０は以下にさらに詳細に記載される以下の主要構成要素を含む。空気冷却機ユニット１００は実際の冷蔵構成要素を含み、例えば、上部ダクト５２ａ（例えば、冷却済空気供給のために使用される）および下部ダクト５２ｂ（例えば、空気帰還のために使用される）を通じて冷却済空気を循環させる。これらダクト５２ａおよび５２ｂのそれぞれは、それぞれが接続ブート（interface boot）を含んでもよい複数のカート用ベント５６を含むカートベントアセンブリ５４に連結される。各カート２０は、各々のダクト５２ａおよび５２ｂによって供給されるカートベントアセンブリ５４上の対応する対のカート用ベント５６と接続する２つの対応するベント（図示せず）を有してもよい。この方法では、各カート２０が冷却済空気供給部と空気帰還部とに連結される。
【００２６】
[0047]しかしながら、図１Ａおよび図１Ｂに示される実施形態においては、複数のカート用ベント５６を含むカートベントアセンブリ５４は再構成可能ではなく、むしろエアスルー配置において固定されている。
【００２７】
[0048]図２は、ギャレーカート隔室１１のスペース内における空気冷却機システム３０の配置をより詳細に示す。この実施形態では、冷却機システム３０はカート隔室１１の後壁および／または側壁に固定されている。冷却機システム３０の幅はカート隔室が提供された任意のカート２０と冷却機システム３０を両方とも収容することができるような程度である。冷却機システム３０をカート隔室１１内に取り付けるために任意の公知の機構を使用してもよい。以下により詳細に説明するように、凝縮器供給部１１４および凝縮器排出部１１６はカート隔室１１の側壁内の切抜部と接続される。
【００２８】
[0049]図３Ａおよび図３Ｂは、カート隔室１１から分離された空気冷却機システム３０の前部斜視図および後部斜視図である。これら図においては、各々のカートベントアセンブリにカート用ベントブート／ベント５６を供給する上部ダクト５２ａおよび下部ダクト５２ｂに連結された、冷却済空気を提供する空気冷却機ユニット１００を見ることができる。冷却済給気ベント１１０は上部ダクト５２ａに連結され、還気ベント１１２は下部ダクト５２ｂに連結されている。
【００２９】
[0050]図４Ａ、４Ｂ、４Ｃ、および４Ｄは、配管を全く有しない空気冷却機ユニット１００をいくつかの図において示す。ユニット１００は適切なケース１０２により囲まれている。図４Ａは、冷却済給気ベント１１０と、フィルタ１１１で被覆された還気ベント１１２とを示す。冷却機ユニット１００に汚染物質が入らないことを確かにするためにフィルタを提供してもよい。図４Ｂは、給気ベント１１０および還気ベント１１２の両方を示す側面図である。それは、また、凝縮器供給部１１４および凝縮器排出部１１６を示す。図４Ｃおよび図４Ｄは、空気冷却機ユニット１００の斜視図である。
【００３０】
[0051]種々の実施形態においては、航空機用ギャレーに冷却空気を提供するために空気冷却機ユニット１００に類似するまたは異なる空気冷却機ユニットを利用してもよく、かつ航空機用ギャレーカート隔室１１に取り付けてもカート隔室１１から離して取り付けてもよい。例えば、いくつかの実施形態では、大型遠隔空気冷却機が航空機内の複数の航空機用ギャレーカート隔室１１に１つまたは複数の遠隔冷却空気ダクトを通じて冷却空気を提供してもよい。種々の実施形態においては、遠隔冷却空気ダクトを通過して航空機用ギャレーカート隔室１１に到達する空気流を向上させるために遠隔冷却空気ダクト内または端点にファンを含んでもよい。
【００３１】
[0052]図５は、空気冷却機ユニット１００の基本ブロック図である。空気冷却機ユニットの種々の他の実施形態は、図５に示すように構成された類似の構成要素を使用してもよい。圧縮器１４０から開始して、冷媒が圧縮され、高温、高圧および過熱蒸気として圧縮器から送出される。
【００３２】
[0053]冷媒はライン１３４から二次空気回路への熱が凝縮器ファンによって遮断される空冷凝縮器１３０に移動する。凝縮器は冷媒を高温および高圧蒸気から高圧サブクール液体に変化させる。
【００３３】
[0054]冷媒は、その後、ライン１３６から、冷媒液体視認窓１７０およびフィルタ乾燥機１７２内に移動する。そこで液体冷媒の流れを監視することができ、水分および固体汚染物質および屑が冷媒から濾過される。その後、冷媒は蒸気液体熱交換器１６０内を入口１６４から出口１６６まで移動し、そこで、液体冷媒は蒸発器１５０からの蒸気冷媒によってさらにサブクールされる。
【００３４】
[0055]冷媒は熱膨張弁すなわちＴＸＶ１７６に進む。ＴＸＶ１７６は蒸発器１５０内に供給される液体冷媒の量を制御する。ＴＸＶ１７６は液体冷媒の圧力を減少させる。ＴＸＶ１７６は、蒸発する冷媒と蒸発器１５０を出る蒸気との間の事前設定された温度差または過熱を維持するために蒸発器１５０を通過する冷媒の量を調整する。蒸発器１５０を出る気体の温度が変化すると、蒸発器１５０の出口チューブに固定された膨張弁温度検知バルブ（expansion valve temperature sensing bulb）１７６ａがこの温度を検知し、ＴＸＶ１７６による冷媒の供給を調整するように動作する。
【００３５】
[0056]低温および低圧冷媒は蒸発器１５０に入り、ギャレー冷却装置および／またはアビオニクス装置から蒸発器１５０の壁を通じて冷媒内に熱が流れる。冷媒の沸騰プロセスは冷媒が完全に蒸発するまで継続する。
【００３６】
[0057]蒸発器１５０を出る過熱冷媒蒸気は蒸気液体熱交換器１６０内に移動し、そこで蒸気冷媒は液体冷媒によってさらに過熱される。それは圧縮器吸引ライン１４２に進む。圧縮器１４０はこの過熱低圧蒸気を取り、それを圧縮する。圧縮器が動作している限り冷蔵サイクルは継続する。
【００３７】
[0058]高温気体バイパスソレノイド弁または除霜弁１７４は圧縮器の起動時に冷蔵システムを安定させるため、および冷蔵システムの冷却出力を制御するために使用されるが、これは冷たい蒸発器１５０を高温気体が暖めることを可能にすることによる。これにより、冷却効率が低減し、冷却済空気温度が安定する。
【００３８】
[0059]冷蔵サイクルにより蒸発器１５０の表面に霜が形成する。この霜は最終的に空気の流れを制限する点まで蓄積する可能性があり、冷蔵性能の損失の原因となる。これを防止するため、除霜弁１７４は通電されるか開放され、霜を融解させる除霜サイクルが開始される。全ての霜が融解し、水分が排出されると、その後、システムは冷蔵サイクルを再開する。
【００３９】
[0060]図６Ａ〜６Ｃは、冷却機ユニット１００構成要素の例示的な配置を示す。冷却機ユニット１００は全体として、好ましくは、構成要素の全てが、ケース１０２により囲まれた、境界が定められたこの領域内に嵌合するような大きさにされると共に取り付けられる平坦な矩形のブロック形状を有する。一実施形態では、冷却機ユニット１００は、約２４”の幅、約２０”の高さおよび約４”の深さを有する。
【００４０】
[0061]冷却機ユニット１００は２つの主要表面１０３を有し、そのそれぞれが残りの４つの表面よりも大幅に広い面積を含み、より広い面積の表面の１つはギャレーカート隔室の後壁に隣接するように設計されている。構成要素のレイアウトは主要表面に平行する面が凝縮器１３０と、凝縮器ファン１３２と、圧縮器１４０と、蒸発器１５０と、蒸発器ファン１５２とを貫通するように略平坦な形態である。
【００４１】
[0062]この実施形態では、凝縮器１３０は冷却機ユニット１００の下底左角（図６Ａの図において）に配置されている。周囲空気は、加熱された空気をギャレーカート隔室１１外部の航空機の他の部分に排出する凝縮器１３０上方に配置され、かつ凝縮器排出部１１６に隣接して連結された凝縮器ファン１３２によって生成された真空により凝縮器１３０内に引き込まれる。これにより、加熱された加圧冷媒を液体に凝縮させる。
【００４２】
[0063]圧縮器１４０は空気冷却機ユニット１００の下部中心領域に配置されている。制御回路、弁１７４、１７６、安全開閉器１７８等は主に圧縮器１４０上方に配置されており、圧縮器１４０は、圧縮器１４０および関連構成要素によって生成された熱が凝縮器ファン１３２により凝縮器排出部１１６から排出されることを可能にする第１の密閉されていないケース隔壁１０６によって境界が定められた隔室内に配置されている。圧縮器１４０は、また、ユニット１００内において発生した熱がギャレーカート隔室１１に入ることを防止するために蒸発器１５０と蒸発器ファン１５２とを分離する一般的な第２の密閉されたケース隔壁１０８によって境界が定められている。
【００４３】
[0064]一実施形態では、冷却機ユニット１００は以下の表の性能要求事項を満たす。
【００４４】
【表１】
0005778870.tif 000002
【００４５】
[0065]したがって、空気冷却機システム３０は、航空機用ギャレー食品給仕システム１０内の例えば４つまでのトロリーカートの冷却能力を最大化するように設計されたコンパクトな空間および重量節減ユニットである。その薄い（浅い深さ）設計により、空気冷却機システム３０は冷却ギャレー隔室の従来のギャレーカートダクト構造の背後にぴったりと嵌まる。空気冷却機システム３０はギャレーカートの非常に近傍にあることから、空気冷却機システム３０は遠隔的に取り付けられた空気冷却機ユニットに通常組み合わされる長い冷却済空気供給ダクトを排除する。
【００４６】
[0066]この実施形態の軽量（約２０ｌｂｓ．）コンパクト設計は狭い空間における冷却能力を最大化し、従来の同等に動作する４０ｌｂ．のユニットと比較して重量節減を示す。ユニットでは７００ワット未満の電力を使用してもよい。
【００４７】
[0067]小型空気冷却機システム３０の他の実施形態においては、空気を上方または下方に排出してもよい。さらなる実施形態においては、小型空気冷却機ユニット１００は、給気および還気を他方の側において受け取る／他方の側に送ることができるように逆向きの取り付けが可能である。これにより、柔軟性のある取り付けおよびギャレーダクト構造の位置が可能になる。さらに別の実施形態においては、凝縮器の空気騒音を低減する、最小化する、または除去するために、凝縮器空気ファン１３２を、遠隔位置に、排気ダクト内の上流側に取り付けてもよい。また、凝縮器の空気騒音を除去するために整流技術を使用してもよい。また、小型空気冷却機システム３０は冷却負荷バランスを最適化するための可逆ファンを有してもよい。
【００４８】
[0068]図７Ａは、別の実施形態による冷却機システム７００を示す。冷却機システム７００は、冷却機システム７００において冷却機システム３０のカートベントアセンブリ５４の代わりに再構成可能なまたは交換可能な冷却済空気出口７１０を使用するという大きな違い以外は冷却機システム３０に類似してもよい。空気冷却機７２０は空気冷却機ユニット１００にほぼ類似していてもよく、凝縮器空気入口７３０は凝縮器供給部１１４に対応させてもよく、凝縮器空気出口７４０は凝縮器排出部１１６に対応させてもよく、蒸発器空気入口７５０は還気ベント１１２に対応させてもよく、蒸発器空気出口ダクト構造７６０は冷却済空気供給ベント１１０に取り付けられた上部ダクト５２ａに対応させてもよい。冷却機システム７００はギャレーカート隔室１１’の後壁に取り付けられた使用時点（point−of−use）空気冷却機７２０を備えて示されるが、これを限定的なものと解釈すべきではなく、冷却機システム７００は種々の他の構成において取り付けてもよい。
【００４９】
[0069]図７Ｂは、別の実施形態による冷却機システム７０５を示す。冷却機システム７０５はギャレーカート隔室１１’の後壁に取り付けられた使用時点保管隔室冷却装置７２５を備えて示されるが、これを限定的なものと解釈すべきではなく、冷却機システム７０５を種々の他の構成において取り付けてもよい。保管隔室冷却装置７２５は交換可能な冷却済空気出口７１０に保管隔室冷却装置出口ダクト構造７６５を通じて冷却空気を提供する。保管隔室冷却装置７２５は保管隔室冷却装置空気入口７５５を通じて還気を提供する受け取る。保管隔室冷却装置７２５からの冷却空気は、交換可能な冷却済空気出口７１０を出て、ギャレーカート隔室１１内のギャレーカート２０中または上を循環し、その後、保管隔室冷却装置空気入口７５５を通じて保管隔室冷却装置７２５に戻ってもよい。保管隔室冷却装置７２５は航空機の補助液体冷却システムと結合された液体空気熱交換器を含んでもよい。補助液体冷却システムは、保管隔室冷却装置７２５を含む種々の使用時点冷却装置まで航空機内を循環する液体冷却剤を冷却する遠隔冷却機を含んでもよい。
【００５０】
[0070]図７Ｃは、別の実施形態による冷却機システム７０７を示す。冷却機システム７０７は、１つまたは複数の空気ダクト７６７を通じて再構成可能なまたは交換可能な冷却済空気出口７１０に冷却空気を提供する遠隔的に取り付けられた空気冷却機システム７２７を含む。種々の実施形態においては、冷却機システム７０７はまた、１つまたは複数の空気ダクト７６７を通じて還気を受け取ってもよい。したがって、１つまたは複数の空気ダクト７６７は１つまたは複数の遠隔冷却空気ダクトおよび遠隔還気ダクトを含んでもよい。遠隔的に取り付けられた空気冷却機システム７２７は、蒸気循環システムであっても、航空機の補助液体冷却システムと結合された液体空気熱交換器を含む空気冷却機であっても、当技術分野において公知の他の空気冷却用システムであってもよい。
【００５１】
[0071]図８Ａは、一実施形態による、再構成可能な冷却済空気出口アセンブリ８００の外部斜視図を示す。図８Ｂは、一実施形態による再構成可能な冷却済空気出口アセンブリ８００の内部斜視図を示す。再構成可能な冷却済空気出口アセンブリ８００は交換可能なまたは再構成可能な冷却済空気出口７１０に含まれてもよい。いくつかの実施形態では、再構成可能な空気帰還入口アセンブリ８００’は構造および性能において再構成可能な冷却済空気出口アセンブリ８００にほぼ類似していてもよいが、再構成可能な冷却済空気出口アセンブリ８００の空気流と逆方向の空気流を支持するように構成されている。再構成可能な冷却済空気出口アセンブリ８００および再構成可能な空気帰還入口アセンブリ８００’は本明細書中においては集合的にベント開口部アセンブリと呼ばれる。再構成可能な冷却済空気出口アセンブリ８００は３つのベント開口部８２０、８４０および８６０を含むベントパネル８１０を含み、３つのベント開口部のそれぞれは、再構成可能な冷却済空気出口アセンブリ８００がどのように交換可能なまたは再構成可能な冷却済空気出口７１０内に取り付けられているかによってエアスルー構成またはエアオーバ構成のいずれかにおいてギャレー食品カート２０と結合してもよい。ベント開口部８２０、８４０、および８６０のそれぞれのグリルの背後においては、再構成可能な冷却済空気出口アセンブリ８００はファン８３０、８５０および８７０をそれぞれ含んでもよい。ファン８３０、８５０および８７０のそれぞれは、対応するベント開口部８２０、８４０または８６０内を対応するベント開口部８２０、８４０または８６０の前に配置されたギャレー食品カート２０に向かって空気を送るように構成されている軸方向ファンであってもよい。再構成可能な空気帰還入口アセンブリ８００’が空気帰還ダクトとともに使用される実施形態においては、ファン８３０、８５０、および８７０は、再構成可能な冷却済空気出口アセンブリ８００が冷却空気供給ダクトとともに使用される場合と逆方向に空気を案内するように構成してもよい。いくつかの実施形態では、再構成可能な冷却済空気出口アセンブリ８００はファン８３０、８５０および８７０を含まなくてもよい。なぜなら、対応するダクト内または対応する空気冷却機内などの別の場所に設けられたファンが対応するベント開口部８２０、８４０および８６０内に必要な空気流を提供するからである。
【００５２】
[0072]閉じたパネル８８０を共通の長い縁端に沿って１３５度の角度等の角度でベントパネル８１０に取り付けてもよい。種々の実施形態においては、閉じたパネルはベント開口部を有していなくてもよく、かつ空気がその中を流れることを可能としなくてもよい。しかしながら、これを限定的なものと解釈すべきではなく、いくつかの実施形態では、閉じたパネル８８０は完全に閉じていなくてもよく、いくつかの開口部を含んでもよい。しかし、閉パネル８８０を、ベントパネル８１０内において可能とされるものよりも大幅に少ない空気流が閉じたパネル８８０を通過することを可能にするように構成してもよい。当業者には理解されうるように、例えば、大幅に少ない空気流は、空気流を含まなくても、ベントパネル８１０に対して１０％の空気流を含んでも、ベントパネル８１０に対して２５％の空気流を含んでも、ベントパネル８１０に対して５０％の空気流を含んでも、ベントパネル８１０に対して７５％の空気流を含んでも、他の大幅に少ない量の空気流を含んでもよい。種々の実施形態において角度は異なってもよく、例えば、約１５度〜１６５度の範囲内の任意の値である。共通の長い縁端から逆側の長い縁端までの、閉じたパネル８８０およびベントパネル８１０のそれぞれの外部表面の幅は実質的に等しくてもよい。このようにして、再構成可能な冷却済空気出口アセンブリ８００の同じ実施形態を、ベント開口部８２０、８４０および８６０が冷却済空気出口７１０から水平外側に空気を案内するエアスルー形態、またはベント開口部８２０、８４０および８６０が冷却済空気出口７１０から実質的に上方に空気を案内するエアオーバ形態のいずれかにおいて交換可能なまたは再構成可能な冷却済空気出口７１０内に取り付けてもよい。再構成可能な冷却済空気出口アセンブリ８００が、例えば、ねじ、クリップ、ピン、フック等などの固定要素を使用し、同じ固定用穴または冷却済空気出口７１０内の機構を使用して、エアスルー形態またはエアオーバ形態のいずれかにおいて冷却済空気出口７１０に固定することができるように閉じたパネル８８０およびベントパネル８１０のそれぞれの固定用穴を実質的に同一の位置に配置してもよい。種々の実施形態においては、また、固定を摩擦または磁気吸引を使用して実施してもよい。いくつかの実施形態では、摩擦または除去可能な接着剤が十分な固定強度を提供してもよいため、固定を実施するために固定用穴および対応する固定用機構を必要としなくてもよい。
【００５３】
[0073]電源コネクタ８９０はファン８３０、８５０および８７０に電源を接続してもよい。電源コネクタ８９０による別個の電源接続によってファン８３０、８５０および８７０のそれぞれに別々に電源を供給してもよい。ギャレー食品カート２０が対応するベント開口部８２０、８４０または８６０の前に配置されている場合、空気冷却機システム７００、７０５または７０７が動作している場合、および／または対応するギャレー食品カート２０の内部の温度が所望の温度を上回る場合のみに動作するように、ファン８３０、８５０および８７０は空気冷却機システム７００、７０５または７０７によって制御してもよい。
【００５４】
[0074]図９は、一実施形態による、ギャレーカート隔室領域１１’内にエアオーバダクト配置において取り付けられた冷却機システム７００の斜視図を示す。ギャレーカート隔室領域１１’はギャレーカート隔室領域１１の一実施形態であってもよい。ギャレー食品カート２０の実施形態であってもよいギャレー食品カート２０’は、ギャレーカート隔室領域１１’内の冷却機システム７００の前に脱着可能に配置してもよい。図９に示されるように、ギャレー食品カート２０’はエアオーバダクト配置にある冷却済空気出口のベントと接続するように構成してもよい。
【００５５】
[0075]図１０Ａ、１０Ｂ、１０Ｃ、１０Ｄおよび１０Ｅは、一実施形態による、空気冷却機システム７００を図９に示されるエアオーバダクト配置からエアスルーダクト配置に再構成する方法を示す。再構成可能な冷却済空気出口アセンブリ８００は空気冷却機７２０から冷却空気を受け取るために空気冷却機７２０と流体連通するように構成されている。
【００５６】
[0076]図１０Ａは、図９にも示される、エアオーバダクト配置にある再構成可能な冷却済空気出口アセンブリ８００を示す。エアオーバダクト配置においては、ベント開口部８２０、８４０および８６０は、ファン８３０、８５０および８７０それぞれによって冷却空気がギャレーカート隔室１１’内に保管されたギャレー食品カートの実質的に上方向および上に送られるように上方向に向けられる。この構成においては、再構成可能な冷却済空気出口アセンブリ８００はギャレー食品カートのギャレー食品および飲料保管隔室の実質的に周囲の空気に同時に流体連通する。
【００５７】
[0077]図１０Ｂは、再構成可能な冷却済空気出口アセンブリ８００を交換可能なまたは再構成可能な冷却済空気出口７１０のハウジングから取り外した、空気冷却機システム７００を再構成する第１のステップを示す。再構成可能な冷却済空気出口アセンブリ８００は、再構成可能な冷却済空気出口アセンブリ８００を交換可能なまたは再構成可能な冷却済空気出口７１０のハウジング上に固定する固定要素を緩めることによって、その後、再構成可能な冷却済空気出口アセンブリ８００を交換可能なまたは再構成可能な冷却済空気出口７１０のハウジングから外側に引くこと、または摺動させることによって取り外してもよい。このようにして、ベントパネル８１０は交換可能なまたは再構成可能な冷却済空気出口７１０のハウジングの第１の位置から取り外され、閉じたパネル８８０は、第１の位置とは異なり、かつ第１の位置に隣接する、交換可能なまたは再構成可能な冷却済空気出口７１０のハウジングの第２の位置から取り外される。
【００５８】
[0078]図１０Ｃは、冷却済空気出口アセンブリ８００の内側がハウジングの内側に面したままであるように再構成可能な冷却済空気出口アセンブリ８００を交換可能なまたは再構成可能な冷却済空気出口７１０のハウジングの長さとほぼ平行する面内において約１８０度（または上下逆に）回転させる第２のステップを示す。この回転位置においては、ベント開口部８２０、８４０および８６０はギャレー食品カートがギャレーカート隔室１１’内に配置されうるスペースに向かって前方を向いている。いくつかの実施形態では、電源コネクタ８９０を空気冷却機システム７００などの電源から抜くことなく再構成可能な冷却済空気出口アセンブリ８００をエアオーバ配置からエアスルー配置に再構成してもよい。他の実施形態においては、再構成可能な冷却済空気出口アセンブリ８００の電源コネクタ８９０を電源から抜いてもよい一方で、再構成可能な冷却済空気出口アセンブリ８００はエアオーバ配置からエアスルー配置に再構成される。
【００５９】
[0079]図１０Ｄは、再構成可能な冷却済空気出口アセンブリ８００を交換可能なまたは再構成可能な冷却済空気出口７１０のハウジング上に再度取り付ける第３のステップを示す。再構成可能な冷却済空気出口アセンブリ８００は、再構成可能な冷却済空気出口アセンブリ８００を交換可能なまたは再構成可能な冷却済空気出口７１０のハウジング上に配置するか摺動させ、その後、再構成可能な冷却済空気出口アセンブリ８００を交換可能なまたは再構成可能な冷却済空気出口７１０のハウジング上に固定することにより再度取り付けてもよい。このようにして、ベントパネル８１０は交換可能なまたは再構成可能な冷却済空気出口７１０のハウジングの第２の位置に取り付けられ、閉じたパネル８８０は、第１の位置とは異なり、かつ第１の位置に隣接する、交換可能なまたは再構成可能な冷却済空気出口７１０のハウジングの第１の位置に取り付けられる。
【００６０】
[0080]図１０Ｅは、再構成可能な冷却済空気出口アセンブリ８００が交換可能なまたは再構成可能な冷却済空気出口７１０のハウジング上に固定された後、エアスルーダクト配置にある再構成可能な冷却済空気出口アセンブリ８００を示す。示されるように、エアスルーダクト配置においては、ベント開口部８２０、８４０および８６０はギャレー食品カートがギャレーカート隔室１１’内に保管されるスペースに向かって実質的に水平に外側に向いている。エアスルーダクト配置においては、実質的に相手ダクトまたはギャレーカート隔室１１’内に保管されたギャレー食品カートのベント開口部内にファン８３０、８５０および８７０それぞれによって冷却空気が送られるようにベント開口部８２０、８４０および８６０は実質的に水平方向に向けられる。この構成においては、再構成可能な冷却済空気出口アセンブリ８００は同時にギャレー食品カートのギャレー食品および飲料保管隔室の内部の空気と流体連通する。
【００６１】
[0081]図１１は、一実施形態による、ギャレーカート隔室領域１１’内にエアスルーダクト配置において取り付けられた冷却機システム７００の斜視図を示す。ギャレーカート隔室領域１１’は図９のギャレーカート隔室領域１１’と同じであってもよい。ギャレー食品カート２０の実施形態であってもよいギャレー食品カート２０”は、ギャレーカート隔室領域１１’内において冷却機システム７００の前に脱着可能に配置してもよい。図１１に示されるように、ギャレー食品カート２０”はエアスルーダクト配置にある冷却済空気出口のベント開口部と接続するように構成してもよい。
【００６２】
[0082]図１２は、エアオーバダクト配置にある冷却空気供給ダクト１２１０により遠隔冷却機（例えば、図７Ｃの遠隔的に取り付けられた空気冷却機システム７２７の一実施形態）と結合された交換可能なまたは再構成可能な冷却済空気出口７１０を含むギャレーカート隔室領域１１’の斜視図を示す。図１２のギャレーカート隔室領域１１’は、図９の空気冷却機７２０の代わりに、交換可能なまたは再構成可能な冷却済空気出口７１０に冷却空気を提供するために遠隔冷却機と流体連通する冷却空気供給ダクト１２１０が使用されること以外は図９のギャレー隔室領域１１’に類似する。冷却空気供給ダクト１２１０は図７Ｃの１つまたは複数の空気ダクト７６７の一実施形態であってもよい。
【００６３】
[0083]図１３は、エアスルーダクト配置にある冷却空気供給ダクト１２１０を通じて遠隔冷却機と結合された交換可能なまたは再構成可能な冷却済空気出口７１０を含むギャレーカート隔室領域の斜視図を示す。図１３のギャレーカート隔室領域１１’は、図１１の空気冷却機７２０の代わりに、交換可能なまたは再構成可能な冷却済空気出口７１０に冷却空気を提供するために遠隔冷却機と流体連通する冷却空気供給ダクト１２１０を使用すること以外は図１１のギャレー隔室領域１１’に類似する。
【００６４】
[0084]図１４は、エアオーバダクト配置にある冷却空気供給ダクト１４１０により遠隔冷却機（例えば、図７Ｃの遠隔的に取り付けられた空気冷却機システム７２７の一実施形態）と結合された、交換可能なまたは再構成可能な冷却済空気出口７１０と、エアアンダーダクト配置にある空気帰還ダクト１４２０を通じて遠隔冷却機と結合された交換可能なまたは再構成可能な空気帰還入口７１０’とを含む交換可能なまたは再構成可能なベントシステムを含むギャレーカート隔室領域の斜視図を示す。図１４のギャレーカート隔室領域１１’は、交換可能なまたは再構成可能な冷却済空気出口７１０に冷却空気を提供するために遠隔冷却機と流体連通する単一冷却空気供給ダクト１２１０の代わりに、図１４のギャレーカート隔室領域１１’が、エアオーバダクト配置にある冷却空気供給ダクト１４１０を通じて遠隔冷却機と結合された交換可能なまたは再構成可能な冷却済空気出口７１０と、エアアンダーダクト配置にある空気帰還ダクト１４２０を通じて遠隔冷却機と結合された交換可能なまたは再構成可能な空気帰還入口７１０’とを含むこと以外は図１２のギャレー隔室領域１１’に類似する。冷却空気供給ダクト１４１０は交換可能なまたは再構成可能な冷却済空気出口７１０に冷却空気を提供するために遠隔冷却機と流体連通する一方で、空気帰還ダクト１４２０は交換可能なまたは再構成可能な空気帰還入口７１０’から暖められた空気を戻すために遠隔冷却機と流体連通する。冷却空気供給ダクト１４１０および１４２０は図７Ｃの１つまたは複数の空気ダクト７６７の実施形態であってもよい。
【００６５】
[0085]図１４においては冷却空気供給ダクト１４１０が空気帰還ダクト１４２０の上方に示されるが、これは限定的なものと解釈すべきではない。他の実施形態においては、冷却空気供給ダクト１４１０は空気帰還ダクト１４２０の下であってもよく、冷却空気供給ダクト１４１０は空気帰還ダクト１４２０の隣であってもよく、それぞれは対応する交換可能なまたは再構成可能な冷却済空気出口７１０および交換可能なまたは再構成可能な空気帰還入口７１０’とそれぞれ結合する追加のダクト構造を有する。さらに、交換可能なまたは再構成可能な冷却済空気出口７１０は交換可能なまたは再構成可能な空気帰還入口７１０’上方に示されるが、これを限定的なものと解釈すべきではなく、他の実施形態においては、交換可能なまたは再構成可能な空気帰還入口７１０’は交換可能なまたは再構成可能な冷却済空気出口７１０の上方にあってもよい。さらに、いくつかの実施形態では、交換可能なまたは再構成可能な冷却済空気出口７１０は、交換可能なまたは再構成可能な空気帰還入口７１０’の再構成可能な空気帰還入口アセンブリ８００’と実質的に同一の再構成可能な冷却済空気出口アセンブリ８００を含んでもよいが、他の実施形態においては、交換可能なまたは再構成可能な空気帰還入口７１０’の再構成可能な空気帰還入口アセンブリ８００’は、冷却空気供給ダクト１４１０と組み合わせた再構成可能な冷却済空気出口アセンブリ８００の用途とは異なるその空気帰還ダクト１４２０と組み合わせた用途のためにカスタマイズされるように、異なるように組み立ててもよい。
【００６６】
[0086]図１５は、エアスルーダクト配置にある冷却空気供給ダクト１４１０を通じて遠隔冷却機と結合された交換可能なまたは再構成可能な冷却済空気出口７１０と、エアスルーダクト配置にある空気帰還ダクト１４２０を通じて遠隔冷却機と結合された交換可能なまたは再構成可能な空気帰還入口７１０’とを含む交換可能なまたは再構成可能なベントシステムを含むギャレーカート隔室領域の斜視図を示す。図１５のギャレーカート隔室領域１１”は、図１５の交換可能なまたは再構成可能な冷却済空気出口７１０がエアスルー配置にある再構成可能な冷却済空気出口アセンブリ８００を備えて構成され、同様に、図１５の交換可能なまたは再構成可能な空気帰還入口７１０’がエアスルー配置にある再構成可能な空気帰還入口アセンブリ８００’を備えて構成されること以外は図１４のギャレー隔室領域１１’に類似する。
【００６７】
[0087]種々の実施形態においては、本明細書中に開示される一実施形態の１つまたは複数の機能は、本開示によってそうでないと明確に否定されない限りは本明細書中に開示される別の実施形態の１つまたは複数の機能と共に利用してもよい。例えば、交換可能なまたは再構成可能な冷却済空気出口７１０の両方は再構成可能な冷却済空気出口アセンブリ８００を含み、交換可能なまたは再構成可能な空気帰還入口７１０’は図９および図１１の空気冷却機７２０と組み合わせて利用してもよい図１４および図１５の再構成可能な空気帰還入口アセンブリ８００’を含む。
【００６８】
[0088]ギャレーカート隔室領域１１’内にエアオーバダクト配置において取り付けられた１つまたは複数の再構成可能なまたは交換可能な冷却済空気出口７１０を含む航空機は、エアオーバダクト配置にある冷却済空気出口のベント開口部と接続するように構成されたギャレー食品カート２０’を使用することを望む新所有者または実体に販売されても、賃貸されても、そうでなければ使用されてもよく、したがって、種々のギャレー食品カートまたは冷却機システムもしくは対応するダクトの構成要素の交換を必要とすることなく所有者または実体による使用に適してもよい。しかしながら、航空機は、後に、エアスルーダクト配置にある冷却済空気出口のベント開口部と接続するように構成された種々のギャレー食品カート２０”を使用することを望む異なる所有者または実体に販売されても、賃貸されても、そうでなければ使用されてもよい。エアスルー式ギャレー食品カート２０”と結合する新規の冷却機システムまたはダクトを備えたエアオーバ式ギャレー食品カート２０’と結合する既存の冷却機システムまたはダクトを交換する高額な航空機の改装を必要とするのではなくむしろ、本明細書中に記載される実施形態は、エアスルーダクト配置にある元の冷却機システムまたはダクトの同じハードウェアの全てまたはほとんどを使用して容易におよび安価に再構成してもよい。このようにして、改装に関連する費用および時間が節減され、航空機の新所有者またはオペレータは所望のものと異なる種類のギャレー食品カートを使用する必要はなかろう。
【００６９】
[0089]本明細書中に引用した刊行物、特許出願および特許を含む全ての参考文献は、各参考文献が本明細書中に参照によって組み込まれ、その全体が説明されるように個々におよび具体的に示されるかのような程度と同程度まで参照により本明細書に組み込まれる。
【００７０】
[0090]本発明の原理の理解を促進する目的で、図面に示される実施形態について述べると共に、これら実施形態を説明するために特定の言語が使用されている。しかしながら、この特定の言語は本発明の範囲の限定を意図するものではなく、本発明は通常当業者が思いつくであろう全実施形態を含むものと解釈すべきである。本明細書中において使用される専門用語は特定の実施形態を説明する目的のためであり、本発明の例示的な実施形態を限定することを意図するものではない。
【００７１】
[0091]本明細書中に記載される装置は、プロセッサ、プロセッサによって実行されるプログラムデータを保存するためのメモリ、ディスクドライブなどの永久記憶装置、外部デバイスとの通信を処理するための通信ポート、およびディスプレイ、キー等を含むユーザインターフェースデバイスを含んでもよい。ソフトウェアモジュールが含まれる場合、これらソフトウェアモジュールは、非一時的なコンピュータ可読媒体などの読み出し専用メモリ（ＲＯＭ）、揮発性メモリ（ＲＡＭ）、ＣＤ−ＲＯＭ、ＤＶＤ、磁気テープ、ハードディスク、フロッピー（登録商標）ディスクおよび光学データ記憶装置上においてプロセッサにより実行可能なプログラム命令またはコンピュータ可読コードとして保存してもよい。コンピュータ可読コードを分配された様式において保存し、かつ実行されるように、コンピュータ可読記録媒体を、また、ネットワークに接続されたコンピュータシステムにより分配してもよい。この媒体は、コンピュータによって読み取っても、メモリに保存しても、プロセッサによって実行してもよい。
【００７２】
[0092]また、本明細書の開示を使用して、本発明に関わる技術分野において通常の技量を有するプログラマは本発明を作製および使用するための機能的なプログラム、コードおよびコードセグメントを容易に実施してもよい。
【００７３】
[0093]本発明は機能ブロック部および種々の処理ステップの点において記載されうる。そのような機能ブロックは特定の機能を実施するように構成された任意の数のハードウェアおよび／またはソフトウェア部品によって実現されてもよい。例えば、本発明では、例えば、記憶素子、処理素子、論理素子、索引テーブル等の、１つまたは複数のマイクロプロセッサまたは他の制御装置の制御下において種々の機能を実施することができる種々の集積回路部品を用いてもよい。同様に、本発明の要素がソフトウェアプログラミングまたはソフトウェア要素を使用して実施される場合、本発明は、Ｃ、Ｃ++、Ｊａｖａ（登録商標）、アセンブラ等のような任意のプログラミングまたはスクリプト言語により実施してもよく、種々のアルゴリズムはデータ構造、オブジェクト、プロセス、ルーチンまたは他のプログラミング要素の任意の組み合わせにより実施される。機能面は１つまたは複数のプロセッサにおいて実行するアルゴリズムにおいて実施してもよい。さらに、本発明は、電子機器構成、信号処理および／または制御、データ処理等の任意の数の従来の技術を使用してもよい。最後に、本明細書中に記載される全方法のステップは本明細書中に特に示さない限り、またはそうでなければ文脈によって明確に否定されない限り任意の適切な順序で実施してもよい。
【００７４】
[0094]簡略化のため、従来の電子機器、制御システム、ソフトウェア開発、ならびにシステム（およびシステムの個々の動作構成要素の構成要素）の他の機能面については詳細に記載されない場合がある。さらに、提示される種々の図に示される連結線またはコネクタは、種々の要素間の例示的な機能的関係および／または物理的または論理的結合を示すことを意図するものである。実際的なデバイスには多くの代替的なまたは付加的な機能的関係、物理的連結または論理的連結が存在してもよいことに留意されたい。「機構」および「要素」という語は、広く使用され、機械的または物理的実施形態に限定されないが、プロセッサ等と組み合わせたソフトウェアルーチンを含んでもよい。
【００７５】
[0095]本明細書中に提供される全ての例または例示的な言語（例えば「などの」）の使用は、単に本発明をより良く示すことを意図するものであり、請求されない限り本発明の範囲に制約を課すものではない。当業者には以下の特許請求の範囲によって定義される本発明の精神および範囲から逸脱することなく多くの改良および適応が容易に明らかとなろう。したがって、本発明の範囲は本発明の詳細な説明によってではなく、以下の特許請求の範囲によって定義され、範囲内におけるあらゆる相違は本発明に含まれるものと解釈される。
【００７６】
[0096]いずれの項目または構成部品もこの要素が「必須である」または「重要である」と具体的に記載されない限りは本発明の実施に必須のものではない。また、本明細書では、用語「含む（comprises）」、「含む（comprising）」、「含む（includes）」、「含む（including）」、「有する（has）」および「有する（having）」は、特に、技術のオープンエンドの用語として読まれることを意図すると理解される。本発明を説明する文脈において（特に以下の特許請求の範囲の文脈において）用語「a」および「an」および「the」および類似の指示物の使用は文脈において明確に示さない限り単数形および複数形の双方を包含すると解釈されるものとする。さらに、本明細書中において種々の要素を説明するために「第１の」、「第２の」等の用語を使用してもよいが、これら要素はこれら用語によって限定されるべきではなく、単に１つの要素を別の要素から区別するために使用されることを理解すべきである。さらに、本明細書中における数値範囲の記述は単に本明細書中に特に明記されない限り範囲内にある各別個の値を個々に参照する簡潔な方法としての機能を果たすことを目的とし、各別個の値は本明細書中に個々に列挙したかのように本明細書に組み込まれる。
【符号の説明】
【００７７】
参照符号の表
１０  航空機用ギャレー食品給仕システム
１１  ギャレーカート隔室
１１’  ギャレーカート隔室
１２  カート隔室外部ケース
２０  ギャレー食品カート
２０’  ギャレー食品カート
２０”  ギャレー食品カート
３０  空気冷却機システム
５０  ベントアセンブリ
５２ａ  上部ダクト
５２ｂ  下部ダクト
５４  カートベントアセンブリ
５６  カート用ベントブート／カート用ベント
１００  空気冷却機ユニット
１０２  ケース
１０３  ケース主要表面
１０４  電源接続
１０６  密閉されていないケース隔壁
１０８  密閉されたケース隔壁
１１０  冷却済給気ベント
１１１  フィルタ
１１２  還気ベント
１１４  凝縮器供給部
１１６  凝縮器排出部
１３０  凝縮器
１３２  凝縮器ファン
１３４  凝縮器入力ライン
１３６  凝縮器出力ライン
１４０  圧縮器
１４２  圧縮器入力ライン
１５０  蒸発器
１５２  蒸発器ファン
１５４  蒸発器入力ライン
１５６  蒸発器出力ライン
１６０  熱交換器
１６２  圧縮器出力
１６４  凝縮器入力
１６６  蒸発器出力
１６８  蒸発器入力
１７０  視認窓
１７２  フィルタ／乾燥機
１７４  ソレノイド弁
１７６  熱膨張弁（ＴＸＶ：thermal expansion valve）
１７６ａ  温度検知バルブ
１７８  圧力安全開閉器
７００  空気冷却機システム
７０５  空気冷却機システム
７０７  空気冷却機システム
７１０  再構成可能なまたは交換可能な冷却済空気出口
７１０’  再構成可能なまたは交換可能な空気帰還入口
７２０  空気冷却機
７２５  保管隔室冷却装置
７２７  遠隔的に取り付けられた空気冷却機システム
７３０  凝縮器空気入口
７４０  凝縮器空気出口
７５０  蒸発器空気入口
７５５  保管隔室冷却装置空気入口
７６０  蒸発器空気出口
７６５  保管隔室冷却装置出口ダクト構造
７６０  蒸発器空気出口
７６７  １つまたは複数の空気ダクト
８００  再構成可能な冷却済空気出口アセンブリ（ベント開口部アセンブリ）
８００’  再構成可能な空気帰還入口アセンブリ（ベント開口部アセンブリ）
８１０  ベントパネル
８１０’  ベントパネル
８２０  ベント開口部
８３０  ファン
８４０  ベント開口部
８５０  ファン
８６０  ベント開口部
８７０  ファン
８８０  閉じたパネル
８８０’  閉じたパネル
８９０  電源コネクタ
１２１０  冷却空気供給ダクト
１４１０  冷却空気供給ダクト
１４２０  空気帰還ダクト
【図１Ａ】
0005778870.tif 000003
【図１Ｂ】
0005778870.tif 000004
【図２】
0005778870.tif 000005
【図３Ａ】
0005778870.tif 000006
【図３Ｂ】
0005778870.tif 000007
【図４Ａ】
0005778870.tif 000008
【図４Ｂ】
0005778870.tif 000009
【図４Ｃ】
0005778870.tif 000010
【図４Ｄ】
0005778870.tif 000011
【図５】
0005778870.tif 000012
【図６Ａ】
0005778870.tif 000013
【図６Ｂ】
0005778870.tif 000014
【図６Ｃ】
0005778870.tif 000015
【図７Ａ】
0005778870.tif 000016
【図７Ｂ】
0005778870.tif 000017
【図７Ｃ】
0005778870.tif 000018
【図８Ａ】
0005778870.tif 000019
【図８Ｂ】
0005778870.tif 000020
【図９】
0005778870.tif 000021
【図１０Ａ】
0005778870.tif 000022
【図１０Ｂ】
0005778870.tif 000023
【図１０Ｃ】
0005778870.tif 000024
【図１０Ｄ】
0005778870.tif 000025
【図１０Ｅ】
0005778870.tif 000026
【図１１】
0005778870.tif 000027
【図１２】
0005778870.tif 000028
【図１３】
0005778870.tif 000029
【図１４】
0005778870.tif 000030
【図１５】
0005778870.tif 000031